(57)【要約】      （修正有）【課題】ホーンリング付きのイヤホンを提供する。【解決手段】導音管１やホーン２及びイヤホン本体３を有し、導音管１とイヤホン本体３が、一緒に挿設され、ホーン２が、導音管内１に設置されるイヤホンであって、ホーン２の先端に、第一Ｏリング４が嵌設され、後端に、第二Ｏリング５が嵌設され、第一Ｏリング４と第二Ｏリング５とが、ホーン２と導音管１との間に設置される。ホーンと導音管との間に、Ｏリングが設けられ、Ｏリングによって、ホーンが、使用される時、導音管との共振が低減されて、ホーンの音質が向上される。【選択図】図４
0003196120.tif 000002
【実用新案登録請求の範囲】
【請求項１】
導音管やホーン及びイヤホン本体を有し、上記導音管と上記イヤホン本体が、一緒に挿設され、上記ホーンが、上記導音管内に設置されるイヤホンであって、上記ホーンの先端に、第一Ｏリングが嵌設され、後端に、第二Ｏリングが嵌設され、第一Ｏリングと第二Ｏリングとが、ホーンと導音管との間に設置される、
ことを特徴とするホーンリング付きのイヤホン。
【請求項２】
上記イヤホンは、第三Ｏリングを有し、上記第三Ｏリングが、ホーンの後端に嵌設されて、第二Ｏリングの奥側に設置されることを特徴とする請求項１に記載のホーンリング付きのイヤホン。
【請求項３】
上記第三Ｏリングの横断面の直径が、上記第二Ｏリングの横断面の直径よりも小さいことを特徴とする請求項２に記載のホーンリング付きのイヤホン。
【請求項４】
上記第一Ｏリングと第二Ｏリングの直径が、それぞれ、7mmであり、第一Ｏリングと第二Ｏリングの横断面の直径が、それぞれ、1.5mmであることを特徴とする請求項１に記載のホーンリング付きのイヤホン。
【請求項５】
上記第三Ｏリングの直径が、7mmであり、第三Ｏリングの横断面の直径が、1.1mmであることを特徴とする請求項２に記載のホーンリング付きのイヤホン。
【請求項６】
上記イヤホン本体の後端蓋に、通気穴が形成されることを特徴とする請求項１から５に記載された何れかの一つのホーンリング付きのイヤホン。
【請求項７】
上記通気穴の周囲に、ガスタンクが設置されることを特徴とする請求項６に記載のホーンリング付きのイヤホン。
【請求項８】
上記ガスタンクの外側に、銘板が張り付かれることを特徴とする請求項７に記載のホーンリング付きのイヤホン。
【請求項９】
上記ガスタンクの周囲に、銘板槽が設置され、上記銘板が、上記銘板槽内に実装されることを特徴とする請求項７に記載のホーンリング付きのイヤホン。
【請求項１０】
上記通気穴は、一つや二つに形成されることを特徴とする請求項６に記載のホーンリング付きのイヤホン。
【考案の詳細な説明】
【技術分野】
【０００１】
本考案に、イヤホンに関し、特に、ホーンリング付きのイヤホンに関する。
【背景技術】
【０００２】
イヤホンは、使用便利性と携帯便利性により、人々の日常生活において、幅広く利用され、従来のイヤホンは、導音管とイヤホン本体及びホーンの部分が含有され、ホーンは、直接に、導音管内に設置され、また、直接に、導音管に接続され、ホーンが使用される時、ホーンが、導音管と共振して、イヤホンの音質が低下される。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
上記の既存技術によるイヤホンホーンが、使用される時、導音管と共振して、音質が低下される欠点に対して、本考案は、新規のホーンリング付きのイヤホンを提供し、Ｏリングによって、ホーンが、導音管内に実装されることにより、ホーンと導音管との共振が大幅に低減される。
【課題を解決するための手段】
【０００５】
本考案は、ホーンリング付きのイヤホンが提供され、導音管とホーン及びイヤホン本体が備えられ、導音管とイヤホン本体とが、一緒に挿設され、ホーンが、導音管内に設置され、ホーンの先端に、第一Ｏリングが嵌設され、後端に、第二Ｏリングが嵌設され、第一Ｏリングと第二Ｏリングとが、ホーンと導音管との間に設置される。
【０００６】
本考案によれば、上記イヤホンは、第三Ｏリングを有し、第三Ｏリングが、ホーンの後端に嵌設され、第三Ｏリングが、第二Ｏリングの奥側に設置される。上記第三Ｏリングの横断面の直径は、第二Ｏリングの横断面の直径よりも小さい。上記第一Ｏリングと第二Ｏリングの直径は、それぞれ、7mmであり、第一Ｏリングとび第二Ｏリングの横断面の直径は、それぞれ、為1.5mmである。上記第三Ｏリングの直径は、7mmで、第三Ｏリングの横断面の直径は、1.1mmである。
【０００７】
上記イヤホン本体の後端蓋に、通気穴が形成される。
【０００８】
上記通気穴の周囲に、ガスタンクが設けられる。
【０００９】
上記ガスタンクの外側に、銘板が張り付かれる。
【００１０】
上記ガスタンクの周囲に、銘板槽が設けられ、銘板が、銘板槽内に設置される。
【００１１】
上記通気穴が、一つか二つに設置される。
【００１２】
本考案によれば、ホーンと導音管との間に、Ｏリングが設けられ、Ｏリングにより、ホーンが使用される時、導音管との間の共振が低減されて、ホーンの音質が向上される。
【００１３】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１４】
図1乃至図7のように、本考案は、導音管1とホーン2及びイヤホン本体3を有し、導音管1とイヤホン本体3とが、一緒に実装されて、イヤホンが形成され、ホーン2が、導音管1内に設置される。本実施例によれば、ホーン2の先端に、第一Ｏリング4が嵌設され、ホーン2の後端に、第二Ｏリング5が嵌設され、第一Ｏリング4と第二Ｏリング5とが、ホーン2と導音管1との間に設置され、そのため、有効的に、ホーン2が、使用される時、導音管1と共振することを防止できる。ホーン2の構造に制限があるため、本実施例において、第二Ｏリング5とホーン2との間に、第三Ｏリング6が嵌設され、具体的に実施される時、第三Ｏリング6は、必要に応じて設置されることができる。本実施例によれば、第一Ｏリング4と第二Ｏリング5の直径が、それぞれ、7mmであり、第一Ｏリング4と第二Ｏリング5の横断面の直径が、それぞれ、1.5mmであり、第三Ｏリング6の直径が、7mmであり、第三Ｏリング6の横断面の直径が、1.1mmであり、具体的に実施される時、第一Ｏリング4と第二Ｏリング5及び第三Ｏリング6の大きさが、必要に応じて設置される。
【００１５】
本考案において、イヤホン本体3の後端蓋に、通気穴9が形成され、ホーン2が、封止された空間内において、ピストン運動を行う時、生成した流動気体が、通気穴9を介して、排出吸入動作を実行でき、これにより、ホーンが運動する時、空気による抵抗が低減される。以下、三種類の実施形態を挙げて、本考案に係る通気穴9について、具体的に説明すると、
実施例一は、図8のように、本実施例において、イヤホン本体3の後端蓋に、直径が6.5mmで、深さが0.5mmである銘板槽11が形成され、銘板槽11内に、直径が3mmで、深さが0.5mmであるガスタンク10が設置され、ガスタンク10内に、通気穴9として、直径が1.0mmである貫通穴が形成され、銘板槽11内に、それに対応した銘板7が設置されて、通気穴9が、隠れられるように、隠れ式通気穴になる。
【００１６】
実施例二は、図9のように、本実施例において、イヤホン本体3の後端蓋に、直径が6.5mmで、深さが0.5mmである銘板槽11が形成され、銘板槽11内に、二つの直径が3mmで、深さが0.5mmであるガスタンク10が形成され、各ガスタンク10内に、それぞれ、通気穴9として、直径が1.0mmである貫通穴が形成され、これにより、双通気穴構造が形成され、銘板槽11内に、それに対応した銘板7が設置され、通気穴9が、隠れ式通気穴になる。
【００１７】
実施例三は、図10のように、本実施例において、イヤホン本体3の後端蓋に、直径が6.5mmで、深さが0.5mmである銘板槽11が形成され、銘板槽11内に、二つの直径が3mmで、深さが0.5mmであるガスタンク10が形成され、二つのガスタンク10が、一部に重ね合って、“8”文字構造が形成され、二つのガスタンク10の中央位置に、通気穴9として、直径が1.0mmである貫通穴が形成され、銘板槽11内に、それに対応した銘板7が設置されて、通気穴9が、隠れ式通気穴になる。
【００１８】
本考案によれば、イヤホン本体3に、イヤホン配線を保護するための保護部材8が固定される。
【００１９】
上記実施例は、片方の右耳のイヤホンを例とし、本考案の構造について、具体的に説明し、イヤホンのその他の構造は、従来のイヤホン構造でよいから、ここでは、その説明を省略する。本考案によれば、ホーンと導音管との間に、Ｏリングが設けられ、Ｏリングを介して、ホーンが、使用される時、導音管と共振することを低減でき、ホーンの音質が向上される。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案の正面図
【図２】本考案の立体図
【図３】本考案の立体図(銘板除外)
【図４】本考案の断面図
【図５】本考案の正面分解状態図
【図６】本考案の分解状態立体図
【図７】本考案の分解状態の他の角度から見た立体図
【図８】本考案に係るイヤホン本体の実施例一
【図９】本考案に係るイヤホン本体の実施例二
【図１０】本考案に係るイヤホン本体の実施例三
【符号の説明】
【００２３】
１  導音管
１０  ガスタンク
１１  銘板槽
２  ホーン
３  イヤホン本体
４  第一Ｏリング
５  第二Ｏリング
６  第三Ｏリング
７  銘板
８  保護部材
９  通気穴
【図１】
0003196120.tif 000003
【図２】
0003196120.tif 000004
【図３】
0003196120.tif 000005
【図４】
0003196120.tif 000006
【図５】
0003196120.tif 000007
【図６】
0003196120.tif 000008
【図７】
0003196120.tif 000009
【図８】
0003196120.tif 000010
【図９】
0003196120.tif 000011
【図１０】
0003196120.tif 000012